(57)【特許請求の範囲】
【請求項１】
燃料を燃料貯蔵タンク（２）から高圧ポンプ（１）によって燃料高圧蓄圧器（６）内へ圧送し、該燃料高圧蓄圧器（６）から燃料導管（８）を介して前記燃料を個々の燃料噴射弁（９）に給送し、電気的制御器（１４）によって調量制御かつタイミング制御されて前記燃料を前記燃料噴射弁（９）によって内燃機関に噴射するようにした燃料噴射システムであって、前記高圧ポンプ（１）が、ポンププランジャ（２０）をそれぞれ備えた複数のポンプエレメント（１６，１７）を有しており、前記の各ポンププランジャが、内燃機関の回転数に同期的に運動させられる駆動カム（２２）によって駆動され、かつポンプシリンダ（１９）内にそれぞれ１つのポンプ作業室（２３）を画成しており、該ポンプ作業室に、前記ポンププランジャ（２０）の吸込みストローク時に燃料が供給され、かつ前記ポンププランジャの吐出ストローク時に、それぞれ１つの制御弁（４）、特に電気的に制御される弁によって制御される量の燃料が前記ポンプ作業室から前記燃料高圧蓄圧器（６）内へ圧送され、かつ前記ポンプエレメントの少なくとも第１ポンプエレメント（１６）が、前記の駆動カム（２２）と制御弁（４）とによって、前記燃料噴射弁（９）による燃料噴射時点と同期的に高圧吐出を行うように制御される形式のものにおいて、駆動カム（２２）と１つの制御弁（４，４′）によって複数のポンプエレメントの第２ポンプエレメント（１７，１７′）が、一定の高圧吐出量を有するように、かつ運転パラメータに関連して、特に燃料高圧蓄圧器（６）内の圧力に関連して前記第２ポンプエレメントを接続又は遮断するように、制御され、複数のポンプエレメントの第２ポンプエレメント（１７，１７′）が、個々の燃料噴射弁（９）の燃料噴射動作間に介在する時間内に燃料を吐出することを特徴とする、燃料噴射システム。
【請求項２】
第１ポンプエレメント（１６）の各ポンプ作業室（２３）が、ポンププランジャ（２０）の吸込みストローク時に完全に燃料を充填され、かつポンププランジャ（２０）の吐出量が、各ポンプ作業室（２０）の放圧導管（２７）に内蔵された制御弁（４）を閉鎖状態に保持する時間によって規定される、請求項１記載の燃料噴射システム。
【請求項３】
前記ポンプエレメントの第２ポンプエレメント（１７，１７′）が一定の高圧吐出量で運転され、かつ高圧吐出が制御弁（４，４′）を介して接続又は遮断される、請求項１記載の燃料噴射システム。
【請求項４】
制御弁（４′）が、第２ポンプエレメント（１７′）のポンプ作業室（２３）への充填孔（２５）を制御する、請求項３記載の燃料噴射システム。
【請求項５】
制御弁（４）が、第２ポンプエレメント（１７）のポンプ作業室（２３）の放圧導管（２７）を制御する、請求項３記載の燃料噴射システム。
【請求項６】
駆動カム（２２）が多重カム、特に三重カムである、請求項１から３までのいずれか１項記載の燃料噴射システム。
【発明の詳細な説明】
背景技術：
本発明は、請求項１に発明の上位概念として記載した形式の燃料噴射システムに関する。欧州特許第０２４３８７１号明細書に基づいて公知になっている前記形式の燃料噴射システムでは、燃料高圧蓄圧器へ給圧するために、相応のポンプ作業室を有する３つのポンププランジャを備えた列形噴射ポンプが設けられている。前記の各ポンププランジャは調節燃料量を燃料高圧蓄圧器へ圧送し、その場合、燃料噴射量の高圧圧送は、電気的制御装置を介して制御される夫々１つの電磁弁によって行われ、該電磁弁は、各ポンプ作業室の放圧導管内に配置されており、かつその閉弁をもって高圧圧送段階を規定している。吸込みストローク時に各ポンプ作業室は、ポンププランジャによってガイドされる制御エッジによって燃料流入口と連通されるので、下死点においてポンプ作業室に燃料が完全に充填される。その場合ポンププランジャは、個々の燃料噴射弁の各燃料噴射時点に同期的に高圧吐出位相を有するように、ひいては燃料高圧蓄圧器内にほぼ等しい圧力を生ぜしめ得るように、多重カムによって駆動される。この圧力は圧力センサによって検知され、かつ目標値に相応して電気的制御装置から制御信号が各電磁弁に送出される。
前記公知の装置の欠点は、高圧ポンプの各ポンプエレメントに要する制御費が著しく高いことである。公知技術では燃料高圧蓄圧器内の圧力は常に、燃料高圧噴射が生じる場合にしか変化することができず、従って燃料高圧蓄圧器内のより高い圧力レベルへの瞬間的変化は、遅延を伴ってしか実施することができない。燃料高圧蓄圧器内の圧力を変化させようとしても、圧力は噴射中にだけ昇圧することができる。これによって噴射中、蓄圧器圧力の不特定状態が生じるので、正しい噴射量を、所定の調量横断面において生じる圧力と時間との和作用として測定することは困難になる。
発明の利点：
請求項１の特徴部に記載した構成手段を有する本発明の燃料噴射システムに基づいて、一定の高圧吐出量をもって運転される第２ポンプエレメントを接続・遮断することによって、燃料高圧蓄圧器内の圧力を極めて簡便に制御することができるという利点が得られるる。特に、一定の高圧吐出量で作業するポンプエレメントの接続によって、燃料高圧蓄圧器内の圧力の迅速かつ瞬間的な昇圧が得られるので、変化する運転条件への反応が迅速になる。複数のポンプエレメントの第２ポンプエレメントが、個々の燃料噴射弁の燃料噴射動作間に介在する時間内に燃料を吐出する場合には、圧力レベルは第１圧力値から第２圧力値へ逸早く遅延なく変化することができ、かつ次いで可変吐出量で燃料を吐出するポンプエレメントによって、噴射の生じる運転範囲で一定に保たれるので特に有利である。従って噴射中も安定した蓄圧器圧力が得られる。第２ポンプエレメントは昇圧を行うためには、作業条件下で燃料噴射ポンプの運転時間の比較的僅かな時間分しか運転されず、比較的短い耐用寿命に設計することができるので有利である。
更に有利なことには、請求項１に記載した解決手段によって、また請求項２に記載した解決手段によっても、燃料高圧蓄圧器における圧力変動が回避される。また内燃機関に同期的に駆動される駆動カムが多重カムとして、特に三重カムとして構成される場合は、ポンプエレメント数が少数であっても１回転当り多数のストロークが得られるので有利である。
図面：
次に図面に基づいて本発明の実施例を詳説する。
第１図は燃料噴射システムのテーマに関わる概略図である。
第２図は可変吐出量で吐出するポンプエレメントと定吐出量で吐出するポンプエレメントとを備えた高圧ポンプの概略図である。
第３図は第２図に示した実施例とは異なった実施態様による高圧ポンプの作動制御装置の概略図である。
第４図は燃料噴射時間及び高圧ポンプの高圧吐出時間を関数とする圧力経過のグラフ描写図である。
第５図は個々の燃料噴射間に吐出する第２のポンプエレメントにおける時間を関数とする圧力経過のグラフ描写図である。
実施例の説明：
本発明の形式の燃料噴射システムは、所属の内燃機関に対して回転数を同期的に駆動される高圧ポンプ１を有している。該高圧ポンプは、燃料貯蔵タンク２から燃料を吸込み、かつ燃料高圧導管３を経て、殊に有利には電気的に制御される制御弁、本例では電磁弁４によって制御されて、かつ圧送方向に開く逆止弁５を介して前記燃料を燃料高圧蓄圧器６へ圧送する。該燃料高圧蓄圧器から燃料導管８が内燃機関１０の燃料噴射弁９に達している。燃料噴射弁９によって内燃機関１０へ送出される燃料量はこの場合夫々、殊に有利には電気的に制御される弁、本実施例では電磁弁１１によって制御される。該電磁弁の作動制御は、前記燃料高圧蓄圧器６内の圧力を検出する圧力センサ１５からの信号を受信する電気的制御器１４によって行われる。該電気的制御器１４は更に又、回転数レシーバーの信号、上死点信号発生器の信号及び、内燃機関の所望回転数や運転条件のような内燃機関のその他のパラメータの信号を受信し、かつ燃料の量及び噴射時点に従って電磁弁１１を介して燃料噴射弁９をそれ相応に制御する。また前記電気的制御器１４は、燃料高圧蓄圧器６への高圧ポンプ１の吐出量を制御してこの制御によって燃料高圧蓄圧器６内の圧力を所望値に維持する電磁弁４も制御する。
第１図では電磁弁４及び逆止弁５と共に単にシンボルで示したにすぎなかった高圧ポンプ１は、第２図において詳細に図示されている。第２図ではケーシングを省いて２つのポンプエレメント、すなわち第１ポンプエレメント１６と第２ポンプエレメント１７が図示されている。各ポンプエレメントは１つのポンプシリンダ１９を有し、該ポンプシリンダ内を、駆動カム２２によって駆動されるポンププランジャ２０が、ばね２１のばね力に抗して運動する。その場合各ポンププランジャはポンプシリンダ１９内部でポンプ作業室２３を封鎖しており、各ポンプ作業室は燃料吐出導管を介して燃料高圧蓄圧器６に接続されており、前記燃料吐出導管内には、夫々吐出方向に開く逆止弁５が配置されている。ポンプ作業室２３の充填は夫々１つの充填孔２５を介して行われ、該充填孔は、ポンププランジャ２０の下死点において該ポンププランジャの端面２６のエッジによって開放されるので、燃料は燃料貯蔵タンク２から、或いは場合によっては前置圧送ポンプ２４を介してポンプ作業室２３内へ達して該ポンプ作業室を完全充填することができる。これに続く吐出ストローク時には前記充填孔２５はポンププランジャ２０によって封止され、かつ、ポンプ作業室２３内に存在している燃料が圧縮される。この圧縮動作は、ポンプ作業室２３の放圧導管２７内に配置された電磁弁４が閉じられている場合に燃料高圧蓄圧器６への高圧圧送を生ぜしめることになる。前記の電磁弁４は、すでに上述した通り電気的制御器１４によって、燃料高圧蓄圧器６内に所望圧力を生ぜしめるように制御される。
本発明によれば例えば第１ポンプエレメント１６は、ポンプ作業室２３をポンププランジャの特定の吐出ストロークにわたって閉鎖して、このストロークにわたって高圧蓄圧器への高圧圧送を行わせるように電磁弁４によって制御される。ポンププランジャ２０の端面２６を起点として該ポンププランジャの外周側の制御溝２９へ通じる孔２８を用い、しかも最大吐出ストローク時に、前記制御溝２９がポンプ作業室２３を充填孔２５と連通させ、ひいては低圧室に接続するようにすることによって、ポンププランジャの最大吐出ストロークを確定することが可能である。高圧圧送はその場合、ポンププランジャの特定のストローク時点以降、電磁弁を閉弁することによって開始され、これによって高圧吐出量を制御するようにするのが殊に有利である。
従って、燃料高圧蓄圧器６へ圧送された燃料は電磁弁４によって可変に制御され、しかもこの圧送自体は駆動カム２２に関連しており、該駆動カムは本例では三重カムとして構成されており、従って１回転当りポンププランジャ２０の吐出ストロークを３回生ぜしめることができる。該駆動カム２２は回転数を同期的に、例えば内燃機関のクランク軸の回転数と同期的に駆動され、かつ、噴射弁の１つを介して燃料噴射が必要である場合にその都度、第１ポンプエレメント１６のポンププランジャ２０の吐出ストロークを１回行わせるように設計されている。
第４図の線図では、いかなる時点に噴射Ｅが行われ、いかなる時点に第１ポンプエレメントの吐出Ｆが行われ、かつ圧力経過Ｄをとる燃料高圧蓄圧器６内の圧力においていかなる反応が生じるかが概略的に図示されている。線図から判るように吐出持続時間は全体的に各噴射持続時間よりも長くかつ吐出は噴射時点よりも早期時点に始まるが、この吐出開始と相俟って圧力は先ず上昇し、次いで噴射開始に伴って降下し、かつ噴射終了後、燃料高圧ポンプの高圧吐出の残分によって再び元の圧力レベルへ上昇することができる。要するに燃料高圧吐出量Ｆが噴射量に適合されている場合には、全体として平均的な圧力レベルＭＤが生じる。この状態において第２ポンプエレメント１７も駆動されはするものの、電磁弁４が開弁しているために、燃料高圧蓄圧器への高圧圧送は行われない。ポンププランジャ２０によって動かされる燃料は、開いた電磁弁４を介して燃料貯蔵タンク２へ送り戻される。
ところで今、内燃機関の特定の運転条件に基づいて燃料高圧蓄圧器内に、より高い噴射圧を生ぜしめようとする場合は第２ポンプエレメントが吐出運転させられる。この場合は第２ポンプエレメント１７の電磁弁４が全閉されるので、該第２ポンプエレメントのポンププランジャ２０は各吐出ストローク毎に等しい高圧量を燃料高圧蓄圧器へ圧送する。その場合燃料高圧蓄圧器内の圧力の微制御は、第１ポンプエレメント１６の電磁弁４の制御によって行われる。その場合第２ポンプエレメントの吐出は、第１ポンプエレメントの吐出と同期的に行うことができるが、この定量吐出は、噴射の行われない時点に行うのが有利である。第５図から判るように、この高圧吐出ＦＫは、第１ポンプエレメントの吐出Ｆ間の中間に位置し、従って又、燃料噴射弁による個々の噴射間に位置している。圧力経過ラインから判るように高圧吐出ＦＫの開始と相俟って圧力レベルは第１のレベルＤ１から第２のレベルＤ２へ上昇する。燃料噴射にわたってこのレベルは、第１ポンプエレメントの吐出に基づいて維持される。但し第５図では、第４図に示した噴射中の燃料量取出しによる圧力減少を伴う曲線経過は無視されている。
第３図は第２図の実施例による第２ポンプエレメントの制御方式の変化態様を示すものであるが、第３図の第２ポンプエレメント１７′では、この場合も矢張り電磁弁として構成された制御弁４′は、別個の放圧導管内に配置する代わりに、前置圧送ポンプ２４からポンプ作業室２３もしくは充填孔２５への流入路内に配置することもできる。前記実施例で設けた放圧導管は省くことができる。第２ポンプエレメント１７′による付加的な高圧吐出のために制御弁４′は開かれ、これによってポンプ作業室２３の完全充填が可能になる。第２ポンプエレメントを稼働させないためには制御弁４′は閉弁される。この場合もポンプエレメント１７′の定ストロークは、該ポンプエレメントの接続時に高圧吐出のために役立てられる。制御溝２８を介しての孔２８と充填孔２５との連通路を開制御するために、これに代えて或いは付加的に、吸込み段階において夫々１つの逆止弁３０を介して形成可能な、ポンプ作業室２３への連通路を設けることも可能である。この場合は、第２図において特定の吐出終期ストロークを準備するために設けたような孔２８は不要になる。
前記の構成によって、燃料高圧蓄圧器内における圧力レベルの迅速な上昇を得ることが可能である。このような昇圧は特に、加速或いは内燃機関の運転中の燃料噴射量の増大化のような特定の運転事例のために必要である。これは、電気的制御経費及び正確かつ迅速に切換わる弁の使用を最小限に切り詰めて極めて簡単に行われる。第２ポンプエレメント１７の電磁弁４は、第１ポンプエレメント１６の電磁弁４とは対照的に著しく単純に構成することができる。それというのは時間制御機能を果たす必要がないからである。この解決手段によってコストは一層低廉になる。中間吐出（高圧吐出）ＦＫによって、燃料高圧蓄圧器内における圧力レベルに関する変化要望に対して著しく迅速に反応することが可能になるので、調節が正確かつ迅速に行われる。また前述のポンプエレメント数に代えて、より多くのポンプエレメントを可変吐出量式に運転すること、かつ又、より多くのポンプエレメントを定吐出量のために設けることも勿論可能である。
【図１】
0003889057.tif 000002
【図２】
0003889057.tif 000003
【図３】
0003889057.tif 000004
【図４】
0003889057.tif 000005
【図５】
0003889057.tif 000006